(57)【要約】【課題】  上部脊椎と下部脊椎に分割して全脊椎を撮影する場合であっても、被験者の姿勢変化を少なくする。【解決手段】  放射線発生源と放射線画像撮影装置の間に配置されて使用される放射線撮影支持台であって、放射線透過性の材料で形成され、被験者の体を支える背もたれ部と、前記背もたれ部の端部近傍に形成される前記放射線画像撮影装置との位置を決める位置決め部とを有する。【選択図】  図１
2005278812.tif 000002
【特許請求の範囲】
【請求項１】
放射線発生源と放射線画像撮影装置の間に配置されて使用される放射線撮影支持台であって、
放射線透過性の材料で形成され、被験者の体を支える背もたれ部と、
前記背もたれ部の端部近傍に形成される前記放射線画像撮影装置との位置を決める位置決め部とを有することを特徴とする放射線撮影支持台。
【請求項２】
放射線発生源と放射線画像撮影装置の間に配置されて使用される放射線撮影支持台であって、
放射線透過性の材料で形成され、被験者の体を支える背もたれ部と、
前記背もたれ部が固定されるフレーム部と
前記フレームを自立可能に支持する基板部と有し、
前記フレーム部および前記基板部に前記放射線画像撮影装置との位置を決める位置決め部を形成することを特徴とする放射線撮影支持台。
【請求項３】
撮影の際に基準となるマーカを有し、前記マーカは前記背もたれ部に対して貼着自在であることを特徴とする請求項１または２に記載の放射線撮影支持台。
【請求項４】
撮影の際に基準となるマーカと、前記マーカを保持するマーカ保持部材とを有し、前記マーカ保持部材は前記背もたれ部に対して貼着自在であることを特徴とする請求項１または２に記載の放射線撮影支持台。
【請求項５】
放射線発生源と放射線画像撮影装置の間に配置されて使用される放射線撮影支持台であって、
放射線透過性の材料で形成され、被験者の体を支える背もたれ部と、
前記背もたれ部に対して貼着自在なマーカとを有することを特徴とする放射線撮影支持台。
【請求項６】
放射線発生源と放射線画像撮影装置の間に配置されて使用される放射線撮影支持台であって、
放射線透過性の材料で形成され、被験者の体を支える背もたれ部と、
撮影の際に基準となるマーカと、
前記マーカを前記背もたれ部に対して貼着自在に保持するマーカ保持部材とを有することを特徴とする放射線撮影支持台。
【請求項７】
前記マーカ保持部材は放射線透過性の材料で形成されることを特徴とする請求項４または６に記載の放射線撮影支持台。
【請求項８】
前記背もたれ部は、透明もしくは半透明であり、その厚さが１０ｍｍ以下に設定されることを特徴とする請求項１ないし７の何れかに記載の放射線撮影支持台。
【発明の詳細な説明】
【技術分野】
【０００１】
本発明は、立位放射線撮影時に使用される放射線撮影支持台に関するものであり、更に詳しくは撮影装置を移動して複数回撮影する際に用いられる放射線撮影支持台に関するものである。
【背景技術】
【０００２】
近年、放射線画像を直接デジタル画像として撮影できる装置が開発されている。たとえば、マトリックス状に配置された画素毎に半導体検出素子を備え、この各半導体検出素子が直接に、または蛍光体を介して光に変換して間接に検出したＸ線を薄膜トランジスタ（ＴＦＴ）等のスイッチングゲートを用いて画像信号として読み出すＸ線平面検出器（以下ＦＰＤ）を使用する撮影装置がある。（特許文献１参照）
特許文献１には、オーバーテーブルチューブ型のＸ線撮影装置を立位で胸部撮影する場合に被検者が自然な姿勢で胸部撮影が行えるＸ線撮像装置が開示されている。
【０００３】
ところで、医用放射線画像において、主に骨の計測を目的とした下肢全長撮影や全脊椎撮影にあたっては、被写体全体を把握する目的のために、いわゆる「長尺撮影」が行われる。
【０００４】
この長尺撮影において、従来は、長尺フィルムを増感紙（スクリーン）と共に長尺カセッテに収納して撮影を行っていた。このときは下肢全体や全脊柱が撮影できる大きさの長尺カセッテを用意し一回の曝射で全撮影範囲の撮影を行うようにしていた。
【０００５】
また、長尺フィルムを用いず、輝尽性蛍光体ディテクタ等を利用したデジタル放射線画像入力方式（デジタル長尺撮影）も提案されている。（特許文献２参照）
特許文献２に提案されているものでは、輝尽性蛍光体ディテクタを格納した複数のカセッテを、互いに部分的に重なり合うように配列し、専用のカセッテホルダーに格納するようにしている。
【０００６】
一方、複数の輝尽性蛍光体ディテクタを、互いに部分的に重なり合うように配列し係止するものも提案されている。（特許文献３参照）
輝尽性蛍光体を使用した撮影は、前記のように複数枚の輝尽性蛍光体を組み合わせて下肢全体や全脊柱を包含する範囲を１回の曝射を行い、撮影を行うようにしていた。
【０００７】
また、Ｘ線イメージインテンシファイア（以下Ｘ線Ｉ．Ｉ．）とＸ線寝台を組み合わせたＸ線診断装置を用いて、全脊椎撮影を行うことも提案されている。（特許文献４参照）
このときは、Ｘ線寝台を立て被検者をこのＸ線寝台の前に立たせ、Ｘ線Ｉ．Ｉ．とＸ線管球を同期移動させて撮影を行っている。
【特許文献１】特開平１１−１３７５４４号公報
【特許文献２】特開平１１−２４４２６９号公報
【特許文献３】特開平３−２８７２４９号公報
【特許文献４】特開２００３−２９０２１７号公報
【発明の開示】
【発明が解決しようとする課題】
【０００８】
全脊椎撮影には従来長尺フィルムを用いた撮影が行われてきたが、特殊な長尺カセッテが必要なこと、また長尺フィルムの取り扱い、保管が困難である課題がある。
【０００９】
また、輝尽性蛍光体を組み合わせて撮影する場合は、複数枚の輝尽性蛍光体を組み合わせるため、撮影時および、放射線画像の読取時の取り扱いが煩雑であるという課題がある。
【００１０】
近年、ＦＰＤを搭載した放射線診断装置が急速に普及してきており、特に、ＦＰＤを搭載した立位撮影装置の普及が目覚しい。しかし、現在実用化されているＦＰＤの最大サイズは４３ｃｍｘ４３ｃｍであり、全脊椎を１回で撮影することが困難であるため、ＦＰＤ搭載の立位撮影装置を使用した全脊椎撮影は余り行われていないのが現状である。
【００１１】
全脊椎をカバーする大面積のＦＰＤを用いれば全脊椎を１回で撮影することが可能であるが、ＦＰＤの構造上、コストが非常に高くなるという課題がある。
【００１２】
したがって、現在もっとも普及しているＦＰＤ搭載の立位撮影装置で全脊椎を撮影するためには、立位撮影装置を上下方向に移動して複数回撮影しなければならない。通常、４３ｃｍｘ４３ｃｍのＦＰＤを用いた立位撮影装置であれば、２回に分割することで全脊椎の撮影が可能となる。
【００１３】
しかしながら、この撮影方法は例えば上部脊椎を撮影した後に、ＦＰＤを含む撮影装置を移動して下部脊椎を撮影することになるので、被験者は通常の撮影よりも長い時間、姿勢を固定していなければならない。もし被験者が撮影中に動いてしまい、上部脊椎を撮影した姿勢と下部脊椎を撮影した姿勢が一致しない場合には、分割して撮影した２枚の画像のつなぎあわせができないという問題を有する。
【００１４】
本発明の目的は、最も普及しているＦＰＤ搭載の立位撮影装置を用いて全脊椎撮影を行う際、被検者の動きを最小限にするとともに、被曝線量の増大を極力少なくできる放射線撮影支持台を提供することにある。
【課題を解決するための手段】
【００１５】
上記課題を解決するために、請求項１に記載した発明は、放射線発生源と放射線画像撮影装置の間に配置されて使用される放射線撮影支持台であって、放射線透過性の材料で形成され、被験者の体を支える背もたれ部と、前記背もたれ部の端部近傍に形成される前記放射線画像撮影装置との位置を決める位置決め部とを有する。
【００１６】
また、請求項２に記載した発明は、放射線発生源と放射線画像撮影装置の間に配置されて使用される放射線撮影支持台であって、放射線透過性の材料で形成され、被験者の体を支える背もたれ部と、前記背もたれ部が固定されるフレーム部と、前記フレームを自立可能に支持する基板部と有し、前記フレーム部および前記基板部に前記放射線画像撮影装置との位置を決める位置決め部を形成している。
【発明の効果】
【００１７】
本発明によれば、全脊椎撮影を上部脊椎と下部脊椎の２回に分割して撮影する場合であっても、被験者は撮影スタンドの背もたれ部に寄りかかっていればよいので、上部脊椎と下部脊椎の撮影で被験者の姿勢変化を少なくすることができる。また、撮影スタンドには放射線画像撮影装置との位置を決める位置決め部が形成されているので、放射線画像撮影装置に対して適切な位置に位置決めされる。
【発明を実施するための最良の形態】
【００１８】
以下、図面を参照して本発明の実施形態について説明する。
【００１９】
図１は、本発明の放射線撮影支持台の斜視図であり、１は基板、２は基板１に取り付けた左側フレーム、３は基板１に取り付けた右側フレーム、４は下部フレーム、５は上部フレームであり、６は被験者が背中を密着させて寄りかかる背もたれ部であり、上記の各フレームに固定されている。７はマーカーであり、本実施形態では直径数ミリ前後の金属球を使用している。８はマーカー７を保持するマーカー保持部材であり、９はマーカー保持部材８を背もたれ部６に対し着脱自在に保持するための保持テープであり、被験者の身長に合わせて背もたれ部６対するマーカー７の位置を変更することができる。
【００２０】
図１に示すように本発明の放射線撮影支持台は、基板１を有しており、放射線撮影支持台全体の重心は、基板１の外形内に収まるように構成されているため、上記放射線撮影支持台は、単体で自立可能である。
【００２１】
図２は、立位の放射線画像撮影装置の斜視図であり、図１の放射線撮影支持台はこのような立位Ｘ線撮影装置と組み合わされて、使用される。図中、１０１は立位スタンドのベースでありその形状は図中ａで示されるように被検者が撮影時に立つ位置が切り欠かれて凹形状になっている。１０２は支柱、１０３は放射線画像撮影装置であり、放射線画像撮影装置１０３は内部に図示せぬＦＰＤセンサーを内蔵している。また、放射線画像撮影装置１０３は、被検者の身長に合わせて図中Ｙ−Ｙ方向に移動可能である。２０１は放射線発生源である。
【００２２】
図２に示した立位の放射線画像撮影装置を使用して、胸部正面像の放射線撮影を行う場合には、被検者は放射線画像撮影装置１０３と放射線発生源２０１の間に立ち、放射線画像撮影装置１０３の位置を被検者の胸の高さに調節し、胸を放射線画像撮影装置１０３の前面に当てた状態で行われる。
【００２３】
図３は、図１で示される本発明の放射線撮影支持台を、図２で示される立位の放射線画像撮影装置に組み合わせたときの斜視図を示している。このとき、放射線撮影支持台の基板１の幅ｗ１は図２におけるベース１０１の切り欠き部ａの幅ｗ３よりわずかに狭くなっており、基板１をベース１０１の切り欠き部ａにはめ込むことで、放射線撮影支持台の下部の幅方向の位置決めをすることができる。
【００２４】
また、基板１の奥行き寸法ｄ１は、基板１の背端面ｓ１をベース１０１の切り欠き部ａの前端面ｓ１に突き当てることにより、放射線撮影支持台と放射線画像撮影装置と奥行き方向を所定の位置関係に位置決めすることができる。このように、基板１は放射線撮影支持台を自立させる機能を有すると共に、放射線撮影支持台と放射線画像撮影装置とを所定の位置関係にする位置決め機能を有している。
【００２５】
上部フレーム５には、放射線撮影支持台と放射線画像撮影装置を所定の位置関係に保持する位置決め部である凹部ｂが形成されている。上部フレーム５の凹部ｂの幅ｗ２は図２における支柱１０２の幅ｗ４より、わずかに広くなっておりこの凹部ｂを支柱１０２に嵌め込むことにより放射線撮影支持台の上部の幅方向の位置決めをすることができる。
【００２６】
また、凹部ｂの端面ｓ２を支柱１０２の端面ｓ３に突き当てることにより、放射線撮影支持台と放射線画像撮影装置とが奥行き方向に所定の位置関係になるように、上部フレーム５の凹部ｂの奥行き寸法ｄ２は設定されている。したがって、上部フレーム５の凹部ｂは放射線撮影支持台と放射線画像撮影装置とを所定の位置関係にする位置決め機能を有している。
【００２７】
図４は、図３中Ａ−Ａ方向からの図であり、上部フレーム５の凹部ｂが支柱１０２に嵌合して放射線撮影支持台の上部が所定の位置関係に固定されていることを示している。一方、図５は、図３中Ｂ−Ｂ断面であり第１の位置決め手段である基板１がベース１０１の凹部ａにはまり込み放射線撮影支持台の下部が所定の位置関係に位置決めされていることを示している。
【００２８】
図１に示した放射線撮影支持台はそれ単体で自立可能なスタンドであって、撮影スタンドの上部は図４に示したように上部フレーム５と撮影装置の支柱１０２との間で位置決めされ、撮影スタンドの下部は図５に示したように基板１と撮影装置のベース１０１との間で位置決めされるので、撮影中に放射線撮影支持台と撮影装置との位置を所定の位置関係で安定する。なお、ベース１０１の厚さと基板１の厚さをほぼ同じ厚さに設定するとベース１０１と基板１の接合部に段差なくなり、被検者がつまずくという危険性を取り除くことができる。
【００２９】
上述のように、本発明の放射線撮影支持台は、放射線画像撮影装置との位置関係を所定の関係に容易に位置決めすることが可能となる。このとき、放射線画像撮影装置１０３の前面と背もたれ部６の空間距離は１０ｍｍ前後になるように、基板１の奥行き寸法ｄ１および上部フレーム５の凹部ｂの奥行き寸法ｄ２は設定される。
【００３０】
また、背もたれ部６は、透明もしくは半透明な材質で作られており、図３に示すように放射線発生源２０１側から背もたれ部６越しに、放射線画像撮影装置１０３の位置が確認することができるようになっている。背もたれ部６の材質としては、アクリル樹脂、ポリカーボネイト等のＸ線吸収の少ないものが適しており、被検者への被曝線量を低減するためには１０ｍｍ以下の厚さが望ましい。この背もたれ部６には被検者が寄りかかることでのたわみを考慮に入れるとその厚さは、３ｍｍ前後が最適である。
【００３１】
図６は、図３中Ｃ−Ｃ方向からの図であり、本発明の放射線撮影支持台を放射線画像撮影装置と組み合わせて脊椎の全長撮影を上部脊椎撮影と下部脊椎撮影にわけて２分割撮影するときの説明図である。放射線撮影支持台を放射線画像撮影装置は、上述のように所定の位置関係に位置決めされている。被検者Ｐは基板１にのり、背もたれ部６に背中を向け寄りかかるようにして立っている。図６において、１０４は、放射線画像撮影装置１０３を保持すると共に、支柱１０２に対し移動可能に設けられたマウント、１０５はグリップである。
【００３２】
まず初めに、上部脊椎の撮影を行うため、放射線画像撮影装置１０３を脊椎の最上部が撮影できる位置に調整する。図６では実線で表されていて、その時の放射線画像撮影装置１０３の中心をＣＬ−ｕとする。マーカー７が保持されるマーカー保持部材８は図に示すように放射線画像撮影装置１０３の撮影範囲の下端近傍に対応する位置となるように、背もたれ部６上での位置を調整する。本実施例では、マーカー７はマーカー保持部材８の左右にそれぞれ１個づつ、計２個のマーカーが取り付けられている。
【００３３】
次に、放射線発生源２０１の高さを放射線画像撮影装置１０３の高さに合わせる。このとき操作者は放射線発生源２０１側にいて、透明もしくは半透明の姿勢保持手段６越しに放射線画像撮影装置１０３の位置を確認しながら調整をする。
【００３４】
更に、被検者に不要な放射線を浴びせないために照射野の調整を行う。水平方向の照射野は、図４のｗ５で示すように、脊椎が撮影範囲からはみ出さない範囲で被検者Ｐの体幅より狭く絞られる。マーカー７はこの照射野内に配置され、被検者Ｐの陰に隠れてしまうため、放射線発生源２０１側にいる操作者から見ることはできない。一方、マーカー保持部材８は、被検者Ｐの体副からはみ出す長さｌを有しているためこのマーカー保持部材８を視認することができる。つまり、マーカー保持部材８の位置で間接的にマーカー７の上下方向の位置を確認することが可能になる。
【００３５】
垂直方向の照射野は、図６のｗ６で示すように放射線画像撮影装置１０３の垂直方向の撮影範囲に合わせて調節される。このとき、マーカー保持部材８は、マーカー７が撮影範囲の下端近傍に写る位置に配置する。マーカー保持部材８は撮影範囲内に配置されるため、撮影をするとその影が写りこみ、診断に悪影響を及ぼす可能性がある。本発明では、マーカー保持部材８の材質は、ＣＦＲＰ（カーボンファイバー強化プラスチック）であり、１ｍｍ以下としているので、診断に影響を及ぼすほどの影が写りこむことを防止することができる。このマーカー７は、被検者の身長に対応し背もたれ部６への取り付け位置を調整する必要があるが、マーカー７を複数用いる際は、本発明のようにマーカー保持部材８にマーカー７取り付けておくと、操作性が向上する。
【００３６】
以上で上部脊椎の撮影準備が完了し、放射線発生源２０１から放射線を被検者Ｐに照射し、上部脊椎の放射線像を撮影する。図７は、撮影された上部脊椎の画像例であり、画像の下部にはマーカー７の陰影７’が左右に写しこまれている。
【００３７】
次に下部脊椎の撮影準備について説明する。図６において、下部脊椎を撮影する時の放射線画像撮影装置１０３の位置は、二点鎖線で表されている。この位置における放射線撮影装置の中心をＣＬ＿ｌとする。上部脊椎の撮影終了後、操作者はグリップ１０５を操作し、放射線撮影装置１０３を中心がＣＬ＿ｕからＣＬ＿ｌまで移動させる。このとき、マーカー７が、下部脊椎を撮影したときに画像の上端近傍に写りこむ位置、つまり、上部脊椎撮影時と下部脊椎撮影時でマーカー部分が重複する様に放射線画像撮影装置１０３の位置を決める。
【００３８】
このようにして、操作者は放射線発生源２０１を下方に移動させ放射線発生源２０１の高さ位置を、放射線画像撮影装置１０３’の中心ＣＬ＿ｌに調整する。このとき操作者は、透明もしくは半透明の背もたれ部６越しに放射線画像撮影装置１０３’の位置を確認しながら調整をする。
【００３９】
次に、上部脊椎を撮影したときと同様にして、被検者に不要な放射線を浴びせないために照射野の上下方向の調整を行う。このとき、マーカー７が撮影範囲の上部に写るように調整を行う。以上で下部脊椎の撮影準備が完了し、放射線発生源２０１から放射線を被検者Ｐに照射し、下部脊椎の放射線像を撮影する。図８は、上記のようにして撮影された下部脊椎の画像例であり、画像の上部にはマーカー７の陰影７’が左右に写しこまれている。
【００４０】
図７から図８に示すように、本実施例では左右に１個づつ計２個のマーカー像７’を写しこんでいるので上部脊椎像と下部脊椎像を連結する時、上下左右の位置と回転方向も精度良く連結することが可能になる。
【００４１】
放射線像撮影装置１０３を下方に移動させるとき、被検者Ｐは上部脊椎を撮影したときの姿勢で待機している。このとき被検者Ｐは背もたれ部６に寄りかかっているので、その位置で静止しやすく、放射線像撮影装置１０３は被検者Ｐに影響されることなく位置の変更が可能である。つまり、放射線画像撮影装置１０３を移動させても、被検者の姿勢が変わることを最小限に押さえることが可能となる。本発明における放射線撮影支持台を使用しない場合、被検者Ｐは放射線画像撮影装置１０３に寄りかかり姿勢保持をするようになるが、この状態で放射線画像撮影装置１０３を移動させると被検者が動いてしまう。特に、被検者Ｐの臀部に放射線画像撮影装置１０３がかかると、背中より臀部が後方にせり出しているため、被検者Ｐの全体の位置が放射線発生源２０１側に動いてしまうので、診断に耐える画像の撮影は難しい。
【００４２】
図９は、図７で示される上部脊椎画像と図８で示される下部脊椎像をそれぞれに写しこまれたマーカー像７’が重なるようにして、連結したものである。図９の画像を作成するには、図７、図８の画像を医療用のプリンターでフィルムにプリントアウトして、重ね合わせて透明な粘着テープ等で止めても良いし、画像連結機能を有する画像ビューワを使用し、デジタルデータ同士を連結して、モニタ上で観察しても良い。
【００４３】
本実施形態の放射線撮影支持台は、通常、一回の放射線照射で撮影をするときは、前記放射線撮影支持台を所定の位置から退避させ自立させた状態で配置して置き、全脊椎の撮影等、撮影装置を移動させて複数回の放射線照射で撮影を行う時には、前記放射線撮影支持台を放射線源と放射線撮影装置との間に移動し、前記位置決め手段により放射線撮影支持台を放射線撮影装置に対する所定の位置に位置決めをし、前記姿勢保持補助手段に対し被検者が寄りかかるようにして撮影を行う。
【００４４】
本実施形態の放射線撮影支持台を用いれば、立位の放射線撮影装置と組み合わせて、容易にしかも確実に全脊椎の分割撮影が可能になるという利点を有する。
【００４５】
この放射線撮影支持台は自立型であるので、通常の撮影時は撮影の妨げにならない位置に容易に置いておくことが可能である。また、放射線撮影支持台は位置決め手段により放射線撮影装置との相対的位置関係を常に一定に保持することが可能であるため常に安定した放射線画像を得ることが可能になる。また被検者は、姿勢保持補助手段で姿勢を保持されているので、１回目の放射線照射と２回目の放射線照射の間に放射線撮影装置の移動を行っても、被検者が動くことを防止できるという効果を有する。
【００４６】
また、本実施形態の放射線撮影支持台は、基板部と上部フレーム部の２箇所にて放射線撮影装置との位置を決められているので、放射線撮影支持台と放射線撮影装置の位置関係を確実に所定の位置に保つことが可能となる。特に、上部フレームの位置決め部があることで、被検者が背もたれ部に寄りかかった場合でも、その位置関係を所定の位置に確実に保持することが可能になる。
【００４７】
また、本実施形態の放射線撮影支持台は、このマーカーを被検者と同時に写し込むことができる。このことにより、２回に分割して撮影した全脊椎の放射線画像を連結する際、写しこまれたマーカーの像を目安に画像を連結することが可能になるという利点を有する。
【００４８】
さらに、このマーカーは背もたれ部に対して着脱自在であるので、被検者の身長に応じて最適な位置に配置することが可能になるという利点を有する。
【００４９】
また、マーカーは放射線透過性のマーカー保持部材に設けられ、マーカー保持部材が背もたれ部に対して着脱自在である。マーカーもしくはマーカー保持部材は、被検者を挟んで放射線発生源側から視認可能である位置に配置されているため、マーカーが被検者に最適な位置に配置されているか否かを容易に確認できるという利点を有する。
【００５０】
また、本発明の放射線撮影支持台において、背もたれ部は、高放射線透過性かつ、透明もしくは半透明であり、その厚さは１０ｍｍ以下に設定される。このため背もたれ部におけるＸ線吸収を低減できるため、被検者の被曝線量の増大を防止することが可能である。また、背もたれ部は、透明もしくは半透明であるため、被検者を挟んだ反対側の放射線発生源側から、姿勢保持補助手段越しに放射線撮影装置の位置を確認できるため、全脊椎を２回に分けて撮影する際、確実に撮影できるという利点を有する。
【図面の簡単な説明】
【００５１】
【図１】本発明の放射線撮影支持台の斜視図。
【図２】立位の放射線画像撮影装置の斜視図。
【図３】図１で示される本発明の放射線撮影支持台を、図２で示される立位のＸ線撮影装置に組み合わせたときの斜視図。
【図４】図３中Ａ−Ａ方向からの図。
【図５】図３中Ｂ−Ｂ断面図。
【図６】図３中Ｃ−Ｃ方向からの図。
【図７】上部脊椎のＸ線写真。
【図８】下部脊椎のＸ線写真。
【図９】図７で示される上部脊椎のＸ線写真と図８で示される下部脊椎のＸ線写真をそれぞれに写しこまれたマーカー像７’が重なるようにして、連結したＸ線写真。
【符号の説明】
【００５２】
１  基板
２  左側フレーム
３  右側フレーム
４  下部フレーム
５  上部フレーム
６  姿勢保持手段
７  マーカー
８  マーカー保持手段
９  着脱自在なテープ
１０１  ベース
１０２  支柱
１０３  放射線画像撮影装置
２０１  放射線発生源
【図１】
2005278812.tif 000003
【図２】
2005278812.tif 000004
【図３】
2005278812.tif 000005
【図４】
2005278812.tif 000006
【図５】
2005278812.tif 000007
【図６】
2005278812.tif 000008
【図７】
2005278812.tif 000009
【図８】
2005278812.tif 000010
【図９】
2005278812.tif 000011